【手続補正書】
【提出日】平成18年10月27日(2006.10.27)
【手続補正１】
【補正対象書類名】明細書
【補正対象項目名】全文
【補正方法】変更
【補正の内容】
【書類名】明細書
【発明の名称】前後表記付吸収性物品
【特許請求の範囲】
【請求項１】体液を吸収して保持する吸収要素を備えた、外側をカバーするカバー手段と組み合わせて使用される吸収性物品において、
前記カバー手段の内面と接する外装シートに前後表記を直に印刷したことを特徴とする、前後表記付吸収性物品。
【請求項２】前記前後表記の色とこれを印刷する外装シートの色との色差ΔＥ*ａｂが２５より大きく且つ１００未満となるように構成された、請求項１記載の吸収性物品。
【請求項３】前記前後表記の色および外装シートの色が、Ｌ*ａ*ｂ*表色系でＬ*≧２５の色とされた、請求項２記載の吸収性物品。
【請求項４】前記前後表記の色および外装シートの色が、Ｌ*ａ*ｂ*表色系でａ*＜０且つｂ*＜０の色とされた、請求項２または３記載の吸収性物品。
【請求項５】前記前後表記として、方向指示マークとともに、そのマーク内及びその近傍を含む領域に前後判別文字を印刷した、請求項１〜４のいずれか１項に記載の吸収性物品。
【請求項６】製品状態において３つ折り以上に折り畳まれた形態とされるものであって、折り畳まれた状態で少なくとも上面となる位置および下面となる位置に少なくとも一つの完全な前後表記がそれぞれ位置するように、前記外装シートの製品前後方向に間隔をあけて２つ以上の前後表記をそれぞれ印刷した、請求項１〜５のいずれか１項に記載の吸収性物品。
【請求項７】前記前後表記が、グラビア印刷、フレキソ印刷、またはインクジェット印刷により印刷された、請求項１〜６のいずれか１項に記載の吸収性物品。
【発明の詳細な説明】
【０００１】
【発明の属する技術分野】
本発明は、カバー手段（おむつカバー、使い捨ておむつ、使い捨てパンツ、失禁パンツ、衣類）等と組み合わせて使用される、装着ミスを起こしにくい体液吸収性物品（使い捨て失禁パッド、尿パッド等）に関する。
【０００２】
【従来の技術】
従来より、かかる吸収性物品は漏れを防止することが要求されており、女性が使用する際は臀部側に大きい吸収層、男性が使用する際は腹側に大きい吸収層をあてがう方法が知られている。
【０００３】
このようなカバー手段と組み合わせて使用される吸収性物品、特に尿パッド（または失禁パッド）はその形が前後対象に近いため前後が分かり難く、装着ミスを起こし易かった。そのため従来から、装着時におけるカバー手段に対するズレを防止する目的で製品外面に付けられているズレ防止粘着材層の剥離シートに前後表記を印刷するという対策が広く採用されていた。
【０００４】
【発明が解決しようとする課題】
しかし、使用時はこの剥離シートをはがして使用するため、結局のところ装着直前において前後がわからなくなってしまう虞があった。
【０００５】
そこで、本発明の主たる課題は、ズレ防止粘着材層の剥離シートの剥離如何にかかわらず一見して前後が判別可能で、装着ミスを起こしにくい吸収性物品を提供することにある。
【０００６】
【課題を解決するための手段】
上記課題を解決した本発明は、次記のとおりである。
＜請求項１記載の発明＞
体液を吸収して保持する吸収要素を備え、外側をカバーするカバー手段と組み合わせて使用される吸収性物品において、
前記カバー手段の内面と接する外装シートに前後表記を直に印刷したことを特徴とする、前後表記付吸収性物品。
【０００７】
（作用効果）
このように、外装シート自体に前後表記を印刷することにより、ズレ防止テープの剥離シートの剥離如何にかかわらず一見して前後が判別可能で、装着ミスを起こしにくくなる。
【０００８】
＜請求項２記載の発明＞
前記前後表記の色とこれを印刷する外装シートの色との色差ΔＥ*ａｂが２５より大きく且つ１００未満となるように構成された、請求項１記載の吸収性物品。
【０００９】
（作用効果）
かかる色の組合せを採用することによって、前後表記が、その色と外装シートの色とが同系であるため一見目立たないにもかかわらず、ある程度は色に差があるため注視すれば容易に読み取ることができる。特に、パッド等の頻繁な交換を要する吸収性物品では、表裏がわかりやすいように外装シートに色がついているが、印刷する色が同系であることで目にやさしく、読みやすくなる。
【００１０】
＜請求項３記載の発明＞
前記前後表記の色および外装シートの色が、Ｌ*ａ*ｂ*表色系でＬ*≧２５の色とされた、請求項２記載の吸収性物品。
【００１１】
（作用効果）
前後表記の色および外装シートの色を適宜組み合わせるにあたり、かかる色の範囲内から選定することによって、全体として暗くなりすぎず、より見易い前後表記となる。
【００１２】
＜請求項４記載の発明＞
前記前後表記の色および外装シートの色が、Ｌ*ａ*ｂ*表色系でａ*＜０且つｂ*＜０の色とされた、請求項２または３記載の吸収性物品。
【００１３】
（作用効果）
かかる範囲の色は緑と青との間の色であり、落ち着きがあり目に優しいとともに、清涼感・清潔感を想起させることができるため好ましい。
【００１４】
＜請求項５記載の発明＞
前記前後表記として、方向指示マークとともに、そのマーク内及びその近傍を含む領域に前後判別文字を印刷した、請求項１〜４のいずれか１項に記載の吸収性物品。
【００１５】
（作用効果）
矢印や三角形等の方向指示マークは方向を直感的に理解し易く、これと「前」や「後」のように前後を区別するための判別文字が組み合わされることにより、より判り易い前後表記となる。また、かかる判別文字が９ポイント以上の大きさで付されていると、高齢者であっても容易に読み取ることができるようになる。
【００１６】
＜請求項６記載の発明＞
製品状態において３つ折り以上に折り畳まれた形態とされるものであって、折り畳まれた状態で少なくとも上面となる位置および下面となる位置に少なくとも一つの完全な前後表記がそれぞれ位置するように、前記外装シートの製品前後方向に間隔をあけて２つ以上の前後表記をそれぞれ印刷した、請求項１〜５のいずれか１項に記載の吸収性物品。
【００１７】
（作用効果）
本発明が対象とするようなカバー手段と組み合わされて使用される吸収性物品は、包装のコンパクト化のために、３つ折り以上に小さく折り畳まれるのが一般的である。しかるに、従来の製品では折り畳まれていると、前後表記の一部または全部が隠れてしまったり、上面または下面の一方側にしか前後表記がない状態となるものしかなかった。そのため、製品使用者は、折り畳まれた状態の製品を一見しただけでは、前後表記を完全に読み取れなかったり、前後表記が有る面を探したりする苦労があった。
【００１８】
これに対して本請求項４記載の発明によれば、畳まれた状態で上面となる位置および下面となる位置に少なくとも一つの完全な前後表記がそれぞれ位置するように前後表記が印刷されているため、製品使用者は、折り畳まれた状態の製品を一見しただけでもその前後を容易に判別することができるようになる。
【００１９】
＜請求項７記載の発明＞
前記前後表記が、グラビア印刷、フレキソ印刷、またはインクジェット印刷により印刷された、請求項１〜６のいずれか１項に記載の吸収性物品。
【００２０】
（作用効果）
本発明の前後表記印刷には、かかる印刷手法が好適に使用できる。
【００２１】
【発明の実施の形態】
以下、本発明の実施の形態について尿パッドの例を引いて説明するが、本発明は「外側をカバーするカバー手段と組み合わせて使用される」ものであれば他の吸収性物品にも適用可能である。
（尿パッドへの応用例）
図１〜図３は、尿パッド例の展開状態の斜視図、およびその要部縦断面図をそれぞれ示しており、この例は、透液性トップシート１と不透液性バックシート２と、これらシート１，２の間に挟まれた吸収体３（吸収要素）とを主体として構成されている。
【００２２】
不透液性バックシート２は、ポリエチレンフィルム等からなり、縦方向の一方側部分の両側部に脚周りに沿う曲線部２０，２０がそれぞれ形成されたものであり、本例では、この不透液性バックシート２がカバー手段の内面と接する外装シートを構成することになる。吸収体３は、高吸収性ポリマー粒子を含む綿状パルプ３０を主体とし、これをティッシュペーパー等３１により包装してなるものであり、不透液性バックシート２を若干スケールダウンした形状をなしている。また、透液性トップシート１は、不織布等からなり、その幅は吸収体３と略同じサイズとされているものの、その縦方向両端部は吸収体３よりも外側に延在しており、これら延在部においてホットメルト接着剤等により不透液性バックシート２の内面に固定されている。
【００２３】
また、本例の尿パッドでは、横漏れを防止するための脚周り起立カフス４，４が両側部にそれぞれ形成されている。この起立カフス４，４を形成するカフスシート４０，４０は不織布等からなり、製品縦方向長さに等しい長さを有し、脚周り曲線部２０，２０と対応する縦方向中間部においては、幅方向一端部が透液性トップシート１側部および不透液性バックシート２側部に跨って固定（この固定部分を図２に４２として示した）されるとともに、他端部は非固定の自由端部４１とされ、さらにこの自由端部４１はシート４０が折り返された二重構造となっており、折り返し内面間には、幅方向に複数本の糸ゴムＧ，Ｇ…等の弾性伸縮部材が伸張下に配置固定されている。一方、カフスシート４０の縦方向両端部においては、図３に示すように自由端部４１に連続する部分５１も折り畳まれて透液性トップシート１に対して固定される。かくして、伸縮部材Ｇ，Ｇ…の収縮作用により、脚周りに沿う自由端部４１が固定部分４２に対して起立される。またこの収縮作用によって製品が身体に沿う舟形状に丸められる。
【００２４】
そしてかかる構成のもと、図４に示すように、本発明の外装シートたる不透液性バックシート２に前後表記１０，１０…が直に印刷される。本発明における前後表記１０は製品外面から目視可能である限りにおいて、外装シート２の内面および外面であるとを問わず形成できるが、好適には外装シート２の外面に形成する。印刷方法としては、グラビア印刷、フレキソ印刷、インクジェット印刷が好適である。
【００２５】
望ましい前後表記１０の色としては、外装シート２の色との色差ΔＥ*ａｂ（周知のように、ΔＥ*ａｂ＝（Δａ2＋Δｂ2＋ΔＬ2）1/2 である）が２５より大きく且つ１００未満の範囲、より好適には３５〜７５の範囲にある色、すなわち同系色であるが容易に読み取れる程度の差がある色を選択するのが望ましい。また、これら前後表記１０および外装シート２の色がＬ*ａ*ｂ*表色系でＬ*≧２５の色であると全体的に暗くならない。ただし、両色ともにＬ*値が７０以上の明るい色の場合などにおいては、明暗の差が少ないと見難くなることもあるので、前後表記１０および外装シート２間におけるＬ*値の差ΔＬ*は、１０以上であるのが望ましい。さらにＬ*ａ*ｂ*表色系でａ*＜０且つｂ*＜０の色、すなわち緑と青との間の色は落ち着きがあり目に優しいとともに、清涼感・清潔感を想起させることができるため好ましい。特に、これら前後表記１０および外装シート２の色としては、吸収性物品として好ましくない色、例えば排泄物や血液を連想させる（または見間違える）ような「黄色系、茶色系」や「赤（特に鮮明な赤）」は避けるようにするのが望ましい。
【００２６】
本発明の前後表記１０の形態としては各種考えられるが、見易さや汎用性等の点では、図４及び図５に示すように矢印等の方向指示マーク１０Ａとともに、マーク１０Ａ内（矢印の近傍でも良い）に前後判別文字１０Ｂを併用した例を提案する。この場合、判別文字のサイズは、９ポイント以上、特に好適には１７ポイント以上にするのが好ましい。
【００２７】
このように、前後の判別のための表記として「前」「後」「腹」「尻」等の文字を印刷するとともに、直感的な方向理解のために矢印マークを付すことによって、より前後の判別が容易になる。また本発明における前後の判別のための表記として、図５に示すように前後の両表記を付しても良いが、図４に示すように前後いずれか一方の表記のみ（図示例は前のみ）を付すだけでも足りる。特に男女で前後が反対となる男女兼用タイプ（通常、男性の場合に脚周り曲線部２０，２０を境にしてより広い吸収体領域を有する側が前側となり、女性の場合にはその反対となる）においては、図４に示すように各性別毎の前後表記を付すのが望ましく、性別間で色合いを異ならしめるのも望ましい。またもちろん、本発明においては、図６に示すように方向指示マークを省略したり、矢印マークに代わる方向指示マーク、例えば図４の矢印マークの先端側にある山形マーク１０Ｃや三角形マーク等を付したりすることも可能である。さらにこれらの図示例では、複数の前後表記１０，１０…を付しているが、基本的に本発明においては前後表記の数には特に限定されない。
【００２８】
他方、図７及び図８に示すように、本発明においても前述の従来例と同様に、装着時におけるカバー手段に対するズレを防止する目的で、外装シート２（不透液性バックシート）の外表面にズレ防止粘着材層６０および剥離シート６１を積層することが可能である。このズレ防止粘着材層６０および剥離シート６１は、図示のように縦方向一端から他端まで連続するように設けるほか、製品の縦方向に間隔をおいて複数設けることもできる。この場合、剥離シート６１として透明または半透明の材料を用いることにより、外装シート２の前後表記１０，１０…が剥離シート６１を介して外部から視認できるように構成することができる。また図９に示すように剥離シート６１にも前後表記１１を印刷することもでき、この場合の剥離シート６１としては、透明または半透明の材料を用いることもできるが、不透明な材料を用い、外装シート２に付した前後表記１０が剥離シート６１を介して外部から視認できないように構成することもできる。ただし、剥離シート６１は使用時には剥離されてしまうため、カバー手段と接しないという点で本発明の外装シートを構成しないものである。よって、いずれにせよ、外装シート２に直に印刷を施すことが重要である。
【００２９】
（折畳状態との関係）
本発明が対象とする吸収性物品は、一般にコンパクト化のために、３つ折り以上に小さく折り畳まれて包装される。この際、従来の製品では折り畳まれていると、前後表記の一部または全部が隠れてしまったり、上面または下面の一方側にしか前後表記がない状態となるものしかなかった。そのため、製品使用者は、折り畳まれた状態の製品を一見しただけでは、前後表記を完全に読み取れなかったり、前後表記が有る面を探したりする苦労があった。
【００３０】
そこで、図１０に（Ａ）三つ折り状態の第１の例、（Ｂ）三つ折り状態の第２の例、（Ｃ）四つ折り状態の第１の例、ならびに（Ｄ）四つ折り状態の第２の例を示すように、折り畳んだ状態で少なくとも上面２０１となる位置および下面２０２となる位置に少なくとも一つの完全な前後表記１０，１０がそれぞれ位置するように、外装シート２の製品前後方向に間隔をあけて２つ以上の前後表記１０，１０…をそれぞれ印刷することを推奨する。これにより、畳まれた状態で上面２０１となる位置および下面２０２となる位置に少なくとも一つの完全な前後表記１０，１０がそれぞれ位置するため、製品使用者は、折り畳まれた状態の製品を一見しただけでもその前後を容易に判別することができるようになる。
【００３１】
さらに図１０（Ｂ）に示す例では、折り畳み状態から使用状態に広げたときに現れる見開き面２０３には前後表記がなく、一見して前後表記を視認できない。よって更に好適には、図１０（Ａ）（Ｃ）及び（Ｄ）に示すように、折畳み状態から開いたときに現れる見開き面２０３にも少なくとも一つの完全な前後表記１０が位置するように、外装シート２に対して前後表記１０，１０…を適当な間隔で印刷するのが好ましい。これにより、折り畳み状態から使用状態に広げた際にも一見して前後表記１０を視認できるようになる。
【００３２】
さらに図示例のように、折り線部分２０４を跨ぐような前後表記がないようにすると、前後の判別に寄与しにくい表記の印刷を省略でき、使用者にとってはより見易くなる利点がもたらされ、製造者にとっては印刷コストの低減を図ることができる利点がもたらされる。
【００３３】
＜色に係る実験例＞
表１に示すように、外装シートの色と前後表記の色との色差を変えた製品を各種製作し、前後表記の見易さの官能評価（視認性・色の組合せ・清涼感・落ち着き感・総合評価）を５０人で行った。官能評価は、各評価項目に関して最良と感じる色の組合せを各人が選ぶようにして行った。また表２に評価結果を示した。評価結果は選択人数により示した。
【００３４】
【表１】
2002291786.tif 000001
【００３５】
【表２】
2002291786.tif 000002
【００３６】
（考察）色差ΔＥ*ａｂが１００以上となる実施例４及び５では、同系色でないために視認性が良いと感じた人が多い。しかし、実施例４は黒白の組合せであるため、また実施例５は前後表記に鮮明な赤を用いたため、清涼感や落ち着き感が劣り、総合的な見易さに劣るという結果になった。さらに、茶系の色を組み合わせた実施例１、異系に近い同系色を組合せた実施例３についても、清涼感や落ち着き感が劣るために、総合評価が低くなった。
【００３７】
他方、実施例２および実施例６は、ともにＬ*ａ*ｂ*表色系でａ*＜０且つｂ*＜０の色、すなわち緑と青との間の色の組合せを採用したものであり、清涼感や落ち着き感等の評価が著しく高くなった。特に実施例２においては、色差ΔＥ*ａｂも前述の望ましい範囲にあるため視認性の評価も最も高くなった。一方、実施例６においては両色ともにＬ*値が高く（薄い色）かつ明暗差が少なかったために、視認性は劣る結果となった。
【００３８】
【発明の効果】
以上のとおり、本発明によれば、ズレ防止粘着材層の剥離シートの剥離如何にかかわらず一見して前後が判別可能で、装着ミスを起こしにくい吸収性物品となる。
【図面の簡単な説明】
【図１】
本発明に係る尿パッド例の一部破断斜視図である。
【図２】
図１のII−II断面図である。
【図３】
図１のIII−III断面図である。
【図４】
第１の前後表記形態を示す外面図である。
【図５】
第２の前後表記形態を示す外面図である。
【図６】
第３の前後表記形態を示す外面図である。
【図７】
ズレ防止用粘着材層および剥離シートを有する例の外面図である。
【図８】
ズレ防止用粘着材層および剥離シートを有する例の縦断面図である。
【図９】
ズレ防止用粘着材層および剥離シートを有し、さらに剥離シートに前後表記を有する例の縦断面図である。
【図１０】
各種折畳み状態を示す側面図である。
【符号の説明】
１…透液性トップシート、２…不透液性バックシート（外装シート）、３…吸収体、１０…前後表記。
【手続補正２】
【補正対象書類名】図面
【補正対象項目名】図２
【補正方法】変更
【補正の内容】
【図２】
2002291786.tif 000003
【手続補正３】
【補正対象書類名】図面
【補正対象項目名】図３
【補正方法】変更
【補正の内容】
【図３】
2002291786.tif 000004